(57)【要約】【課題】一つの電源回路部を用いて複数の液晶表示パネルに電圧を供給する液晶表示装置を提供する。【解決手段】駆動回路部４ａ、４ｂと、表示部１０ａ、１０ｂとを備えた液晶表示パネル２ａ、２ｂの少なくとも一つの液晶表示パネル２ａ、２ｂ上に、供給される基準電圧Ｖ１をチャージポンプ回路によって昇圧、降圧することによって液晶表示パネル２ａ、２ｂが必要とする電圧を供給する電源回路部６を備える。この電源回路部６から複数の液晶表示パネル２ａ、２ｂに電圧が供給されることによって、液晶表示装置３に備えられる電源回路部６の数を減らし、液晶表示装置３の小型化を図ることができる。【選択図】図８
2008116701.tif 000002
【特許請求の範囲】
【請求項１】
複数のソースバスラインと、前記ソースバスラインと直交する複数のゲートバスラインと、これらの配線の各交差部近傍に設けられ、これらの配線に印加される電圧によって制御される複数の画素用トランジスタとを備える表示部と、前記ソースバスラインに信号を印加するソースドライバと、前記ゲートバスラインに信号を印加するゲートドライバとを備える駆動回路部とを備え、所望の画像を表示する液晶表示パネルを複数備えた液晶表示装置において、
少なくとも一つの前記液晶表示パネルに電源回路部が設けられ、該電源回路部が複数の前記液晶表示パネルに電圧を供給することを特徴とする液晶表示装置。
【請求項２】
前記電源回路部が、各々の前記液晶表示パネルに対して電圧の供給の可否を制御することを特徴とする請求項１に記載の液晶表示装置。
【請求項３】
前記電源回路部がチャージポンプ回路を備え、供給される基準電圧を昇圧した電圧と降圧した電圧とを出力することを特徴とする請求項１または請求項２に記載の液晶表示装置。
【請求項４】
前記電源回路部が、前記基準電圧の二倍の電圧に略等しい電圧と、前記基準電圧を反転させた電圧に略等しい電圧とを出力することを特徴とする請求項３に記載の液晶表示装置。
【請求項５】
複数の前記液晶表示パネルの各々に接続し、前記電源回路部が供給する電圧と、前記液晶表示パネルを制御する信号とを各々の前記液晶表示パネルに伝達するフレキシブル基板を備えていることを特徴とする請求項１〜請求項４のいずれかに記載の液晶表示装置。
【請求項６】
前記液晶表示パネルを制御する信号を前記液晶表示パネルに供給し、前記基準電圧を前記電源回路部に供給する液晶ドライバＩＣを備え、前記液晶表示パネルを制御する信号の電圧が、前記基準電圧よりも大きくならないことを特徴とする請求項１〜請求項５のいずれかに記載の液晶表示装置。
【請求項７】
一方の面と、一方の面に対向する他方の面とが発光面となる両面発光パネルを備え、前記液晶表示パネルの画像を表示する面に対向する面と前記両面発光パネルの発光面とが対向するように配置され、複数の前記液晶表示パネルによって両面発光パネルが挟持されることを特徴とする請求項１〜請求項６のいずれかに記載の液晶表示装置。
【発明の詳細な説明】
【技術分野】
【０００１】
本発明は、携帯電話やノートパソコンのモニターに代表される、情報の表示機能を有した各種携帯用電子機器に適用可能な液晶表示装置に関する。
【背景技術】
【０００２】
液晶表示装置は、液晶層を二枚のガラス基板で挟持した液晶表示パネルが液晶の配向制御を行うことで偏光を制御し、さらに偏光板を用いることで光源から出射する光や自然光等の外光の反射光を選択的に透過または遮断し、画像を表示する装置である。この液晶表示装置には、光源を液晶表示パネルの裏面に備え光源から出射する光のみ利用する透過型と、光源から出射する光と外光の反射光との両方を利用する半透過型と、外光の反射光のみ利用する反射型とがある。これらのうち、液晶表示パネルの裏面に光源として発光パネルを備えた透過型及び半透過型の液晶表示装置が、携帯用電子機器に幅広く利用されている。
【０００３】
また、画素用トランジスタを利用して液晶の配向を制御するアクティブマトリクス型の液晶表示装置が、近年主流となってきている。アクティブマトリクス型の液晶表示装置は、ソースバスラインとゲートバスラインと画素用トランジスタとを備えた表示部と、ソースバスラインとゲートバスラインとに電圧を印加し液晶を駆動するソースドライバとゲートドライバとを備えた駆動回路部と、駆動回路部を駆動させるために必要な高い電圧及び低い電圧を供給する電源回路部とを備えている。
【０００４】
そして、従来のアクティブマトリクス型の液晶表示装置では、表示部をガラス基板、駆動回路部をプリント基板やフレキシブル基板に設けていた。この駆動回路部を表示部とともにガラス基板に設けることができれば、製造工程の簡略化を図るとともに液晶表示装置の小型化を図ることができる。しかし、ガラス基板に容易に成膜できることから従来用いられてきた非結晶シリコンを用いて表示部と駆動回路部とを形成すると、非結晶シリコンのキャリア移動度が小さいことから駆動回路部の動作が遅くなるという問題があった。
【０００５】
そこで、非結晶シリコンの代わりにキャリア移動度の大きなポリシリコンや連続粒界結晶シリコンを用いることで上記の問題を解決し、表示部と駆動回路部とをガラス基板に設けたドライバーモノリシック型と呼ばれる液晶表示パネルが製造されるようになった。
【０００６】
しかしながら、図１及び図２の一般的な折りたたみ型の携帯用電子機器の斜視図に示すように、小型で、かつ製造工程が簡略化されたドライバーモノリシック型の液晶表示パネルを用いても、一般的な折りたたみ型の携帯用電子機器１は、通常メイン液晶表示パネル２ａとサブ液晶表示パネル２ｂの二つの液晶表示パネルを備えることから大型となっていた。特に、各々の液晶表示パネルの裏面には光源である各々の発光パネルが設けられており、各々の液晶表示パネル２ａ、２ｂの表示面を外側として各々の発光パネルの非発光面を対向させるように液晶表示パネル２ａ、２ｂを重ねて配置するため、携帯用電子機器１の厚さが増大する要因となっていた。また、液晶表示パネルに必要となる部材も、液晶表示パネルを一枚のみ備える場合と比較して二倍になることから、携帯用電子機器が大型化し、その製造工程も煩雑化していた。
【０００７】
そこで、このような問題を解決すべく、特許文献１では両面が発光する両面発光パネルをメイン液晶表示パネルとサブ液晶表示パネルとの間に配置し、両方の液晶表示パネルの共用光源とすることで光源を一つに減らし、薄型化を図った液晶表示装置が提案されている。
【特許文献１】特開２００４−３２７４３１号公報（第５頁−第７頁、図１）
【発明の開示】
【発明が解決しようとする課題】
【０００８】
しかしながら、特許文献１で提案された液晶表示装置は電源回路部として電源回路ＩＣを用いており、これをプリント基板に設けている。この電源回路ＩＣは高い電圧に耐え得る構造にする必要があるため製造工程が多く、さらに特殊な工程も必要となり他のＩＣとは異なる工程で製造する必要がある。また、高い電圧に耐え得るように構成したＩＣは大型となってしまう。そのため、液晶表示装置の大型化、製造工程の煩雑化を招いている。
【０００９】
そこで本発明は、複数の液晶表示パネルを備えた液晶表示装置において、小型化と製造工程の簡略化とを図った液晶表示装置を提供することを目的とする。
【課題を解決するための手段】
【００１０】
上記目的を達成するために本発明は、複数のソースバスラインと、ソースバスラインと直交する複数のゲートバスラインと、これらの配線の各交差部近傍に設けられ、これらの配線に印加される電圧によって制御される複数の画素用トランジスタとを備えた表示部と、ソースバスラインに信号を印加するソースドライバと、ゲートバスラインに信号を印加するゲートドライバとを備えた駆動回路部とを備えた液晶表示パネルを備えた液晶表示装置において、液晶表示パネルを少なくとも二つ備え、電源回路部が少なくとも一つの液晶表示パネルに設けられ、複数の液晶表示パネルに電圧を供給することを特徴とする。
【００１１】
また、上記構成の液晶表示装置の電源回路部が、各々の液晶表示パネル対して電圧の供給の可否を制御することができるようにしてもよく、そのような構成にすることで使用していない液晶表示パネルへの電圧の供給を容易に遮断することができ、消費電力を抑えることができる。
【００１２】
また、上記構成の液晶表示装置の電源回路部が、チャージポンプ回路を備え、供給される基準電圧に対して昇圧及び降圧した電圧を出力することとしても構わないし、例えば出力される電圧が基準電圧の二倍の電圧に略等しい電圧と、基準電圧を反転させた電圧に略等しい電圧とを出力することとしても構わない。
【００１３】
このような構成にすることで、一つの基準電圧を用いるだけで液晶表示パネルを駆動させるために必要な高い電圧及び低い電圧を供給することができ、複数の電圧源を設ける必要がない。したがって、液晶表示装置の小型化及び製造工程の簡略化を図ることができる。
【００１４】
また、上記構成の液晶表示装置の複数の液晶表示パネルの各々にフレキシブル基板を接続し、電源回路部が供給する電圧と、液晶表示パネルを制御する信号とを各々の液晶表示パネルに伝達することとしても構わない。
【００１５】
また、上記構成の液晶表示装置において、液晶ドライバＩＣが基準電圧を電源回路部に供給し、液晶表示パネルを制御する信号の電圧が基準電圧より大きくならないようにしても構わない。そのような構成にすることで、液晶ドライバＩＣが基準電圧まで耐え得る構造であればよくなり、液晶ドライバＩＣの小型化と製造工程の簡略化とを図ることができる。
【００１６】
また、上記構成の液晶表示装置において、一方の面と、一方の面に対向する他方の面とが発光面となる両面発光パネルを備え、液晶表示パネルの画像を表示する面に対向する面と両面発光パネルの発光面とが対向するように配置され、複数の液晶表示パネルによって両面発光パネルが挟持されることとしても構わない。
【００１７】
また、上記構成の液晶表示装置において、液晶表示パネルに設けたトランジスタが、電界効果型トランジスタであり、これらのトランジスタのすべてがｎチャネル型またはすべてがｐチャネル型であっても構わないし、少なくとも一つがｎチャネル型であり、かつ少なくとも一つがｐチャネル型であっても構わない。
【００１８】
また、上記構成の液晶表示装置において、液晶表示パネルに設けたトランジスタが、ポリシリコンを用いたトランジスタであっても構わないし、連続粒界シリコンを用いたトランジスタであっても構わない。
【発明の効果】
【００１９】
本発明の構成によれば、高い電圧に耐えうる構造が必要となる電源回路部を、同じく高い電圧に耐えうる構造が必要となる表示部及び駆動回路部とともに液晶表示パネルに設けることとなる。そのため、特殊な製造工程を必要とし、かつ大型となる電源回路ＩＣを別途製造する必要がなくなる。また電源回路部一つで複数の液晶表示パネルに電圧を供給することができる。したがって、液晶表示装置の小型化及び製造工程の簡略化を図ることができる。
【発明を実施するための最良の形態】
【００２０】
以下、本発明の実施形態を図３〜図９に基づき説明する。なおフレキシブル基板上の配線及び液晶表示パネル上の配線と、偏光板と、液晶層とは図面上で省略してある。
【００２１】
まず、本発明の実施形態に係る液晶表示装置の構成について、図３〜図５を用いて説明する。図３は本実施形態に係る液晶表示装置の展開平面図、図４は液晶表示装置のサブ液晶表示パネル側の正面図、図５は液晶表示装置の側面図である。図３の液晶表示装置３の展開図におけるフレキシブル基板８の、ガラス基板５ａ端部と接続する部分（図中Ｘの線）と、発光パネルの１３端部と重なる部分（図中Ｙの線）とを、発光パネル１３がサブ液晶表示パネル２ｂとメイン液晶表示パネル２ａとで挟まれるように、それぞれの部分を略垂直に折り曲げると図４及び図５に示すような液晶表示装置になる。
【００２２】
図３〜図５に示すように、液晶表示装置４は、メイン液晶表示パネル２ａと、サブ液晶表示パネル２ｂと、電源回路部６と液晶ドライバＩＣ７と、フレキシブル基板８と各種電子機器の情報を処理し、表示すべき画像データを液晶表示装置に発する主制御部（不図示）に接続するコネクタ９とを備えている。
【００２３】
メイン液晶表示パネル２ａは、表示部１０ａと、表示部１０ａを制御するためのソースドライバ１１ａとゲートドライバ１２ａとを備えた駆動回路部４ａと、これらの基板であるガラス基板５ａ、５ｂとを備えている。二枚のガラス基板５ａ、５ｂは重なるように配置され、これらは液晶層を挟持している。サブ液晶表示パネル２ｂも同様に表示部１０ｂと、ソースドライバ１１ｂ及びゲートドライバ１２ｂを備えた駆動回路部４ｂと、これらの基板となるガラス基板５ｃ、５ｄとを備えている。また、サブ液晶表示パネル２ｂのみに電源回路部６が設けられている。
【００２４】
メイン液晶表示パネル２ａのガラス基板５ａの一端とサブ液晶表示パネル２ｂのガラス基板５ｃの各々の一端にフレキシブル基板８が接続しており、フレキシブル基板８上には液晶ドライバＩＣ７が設けられている。また、フレキシブル基板８の側部にはコネクタ９が設けられている。コネクタ９と液晶ドライバＩＣ７、液晶ドライバＩＣ７とガラス基板５ａ及びガラス基板５ｂとはフレキシブル基板８上に設けられた配線で接続されている。
【００２５】
次に、表示部の構成について図６を用いて説明する。図６は、サブ液晶表示パネルの表示部の回路図であり、一画素分の回路を示している。表示部は、この画素がマトリクス状となるように配置されている。なお、メイン液晶表示パネルの表示部もサブ液晶表示パネルの表示部と同様の構成になっている。
【００２６】
図６に示すように、表示部１０ｂではソースバスライン１５ｂとゲートバスライン１６ｂとが直交しており、各交点の近傍にｎチャネル型の電界効果型トランジスタである画素用トランジスタ２１ｂが設けられ、ソースバスライン１５ｂにはアナログスイッチ２０ｂが設けられている。画素用トランジスタ２１ｂのゲート２１ｃはゲートバスライン１６ｂと接続しておりソース２１ｄはソースバスライン１６ｂと接続し、ドレイン２１ｅは画素用コンデンサ２２ｂの一方の電極と接続している。また、画素用コンデンサ２２ｂの他方の電極はコモン信号配線２３ｂと接続している。
【００２７】
次に、本発明の実施形態に利用される電源回路部の一例について図７を用いて説明する。図７は例となる電源回路部の回路図であり、簡単のため動作に直接関係のある部分のみを示している。
【００２８】
図７に示すように、電源回路部６は第一の回路２４ａと第二の回路２４ｂとを備えている。第一の回路２４ａ及び第二の回路２４ｂは、レベルシフタＬＳ１〜ＬＳ３によって増幅されるクロック信号ＣＫ１〜ＣＫ３に従ってゲートを制御されるｎチャネル型の電界効果型トランジスタＴｒ１〜Ｔｒ８と、基準電圧Ｖ１と、コンデンサＣ１〜Ｃ４とを備えている。
【００２９】
第一の回路２４ａは、第一のコンデンサＣ１及び第二のコンデンサＣ２と、基準電圧Ｖ１と、第一のクロック信号ＣＫ１がゲートに入力される第一のトランジスタＴｒ１及び第二のトランジスタＴｒ２と、第二のクロック信号ＣＫ２がゲートに入力される第三のトランジスタＴｒ３と、第三のクロック信号がゲートに入力される第四のトランジスタＴｒ４とを備えている。
【００３０】
第一のトランジスタＴｒ１はソースが接地されるとともにドレインが第一のコンデンサＣ１の電極Ｃ１ａに接続している。第二のトランジスタＴｒ２はソースが第一のコンデンサＣ１の電極Ｃ１ｂに接続されるとともにドレインには基準電圧Ｖ１が供給される。第三のトランジスタＴｒ３はソースが第一のトランジスタＴｒ１と第一のコンデンサＣ１との接続ノードに接続しており、ドレインには基準電圧Ｖ１が供給される。第四のトランジスタＴｒ４はソースが第二のコンデンサＣ２の電極Ｃ２ａに接続しており、ドレインが第二のトランジスタＴｒ２と第一のコンデンサＣ１との接続ノードに接続している。第二のコンデンサＣ２の電極Ｃ２ｂは接地されており、第二のコンデンサＣ２と第四のトランジスタＴｒ４との接続ノードには出力端子Ｐ１が設けられている。
【００３１】
第二の回路２４ｂは、第三のコンデンサＣ３及び第四のコンデンサＣ４と、基準電圧Ｖ１と、第一のクロック信号ＣＫ１がゲートに入力される第五のトランジスタＴｒ５及び第六のトランジスタＴｒ６と、第二のクロック信号ＣＫ２がゲートに入力される第七のトランジスタＴｒ７と、第三のクロック信号がゲートに入力される第八のトランジスタとを備えている。
【００３２】
第五のトランジスタＴｒ５はソースが第三のコンデンサＣ１の一方の電極Ｃ３ａに接続しており、ドレインには基準電圧Ｖ１が供給される。第六のトランジスタＴｒ６のソースは接地され、ドレインは第三のコンデンサＣ３の電極Ｃ３ｂに接続している。第七のトランジスタはソースが接地され、ドレインは第五のトランジスタＴｒ５と第三のコンデンサＣ３との接続ノードに接続している。第八のトランジスタＴｒ８はソースが第七のトランジスタＴｒ７と第三のコンデンサＣ３との接続ノードに接続しており、ドレインは第四のコンデンサＣ４の電極Ｃ４ａに接続している。第四のコンデンサＣ４の電極Ｃ４ｂは接地されており、第四のコンデンサＣ４と第八のトランジスタＴｒ８との接続ノードには出力端子Ｐ２が設けられている。
【００３３】
また、本発明の実施形態に係る液晶表示装置の信号の伝達動作について図８を用いて説明する。図８は、本発明の実施形態に係る液晶表示装置のブロック図である。
【００３４】
図８に示すように、各種電子機器の主制御部が発した映像信号Ｓ１は、コネクタ９を介して液晶ドライバＩＣ７に伝達する。液晶ドライバＩＣ７は、映像信号Ｓ１を基にして、アナログ映像信号Ｓ２ａ、Ｓ２ｂと、ソースドライバコントロール信号Ｓ３ａ、Ｓ３ｂと、ゲートドライバコントロール信号Ｓ４ａ、Ｓ４ｂと、コモン信号ＣＯＭ１、ＣＯＭ２とをメイン液晶表示パネル２ａ及びサブ液晶表示パネル２ｂへ発する。
【００３５】
メイン液晶表示パネル２ａにおいては、アナログ映像信号Ｓ２ａはソースドライバ１１ａに伝達し、ソースドライバコントロール信号Ｓ３ａは、レベルシフタ１７ａを介してその振幅を増大しソースドライバ１１ａに伝達する。ゲートドライバコントロール信号Ｓ４ａはレベルシフタ１７ａを介して振幅を増大しゲートドライバ１２ａに伝達する。コモン信号ＣＯＭ１と、接地用配線ＧＮＤを介して供給される０Ｖの電位とは、メイン液晶表示パネル２ａに伝達され、各々の部材で用いられる。
【００３６】
同様にサブ液晶表示パネル２ｂにおいては、アナログ映像信号Ｓ２ｂはソースドライバ１１ｂに伝達し、ソースドライバコントロール信号Ｓ３ｂは、レベルシフタ１７ｂを介してその振幅を増大しソースドライバ１１ｂに伝達する。ゲートドライバコントロール信号Ｓ４ｂはレベルシフタ１７ｂを介して振幅を増大しゲートドライバ１２ｂに伝達する。コモン信号ＣＯＭ２と接地用配線ＧＮＤを介して供給される０Ｖの電位とは、サブ液晶表示パネル２ｂに伝達され、各々の部材で用いられる。また、液晶ドライバＩＣ７はサブ液晶表示パネル２ｂに設けられた電源回路部６にクロック信号ＣＫ１〜ＣＫ３と、基準電圧Ｖ１とを供給する。
【００３７】
電源回路部６はクロック信号ＣＫ１〜ＣＫ３と基準電圧Ｖ１を受けて、これらを基に電圧を調整し、電源用配線１４を介してメイン液晶表示パネル２ａ及びサブ液晶表示パネル２ｂに設けられたレベルシフタ１７ａ、１７ｂと、ゲートドライバ１２ａ、１２ｂと、ソースドライバ１１ａ、１１ｂとに電圧を供給する。
【００３８】
次に、図８に加え図６を用いてサブ液晶表示パネルの表示部の詳細な動作を説明する。メイン液晶表示パネルの表示部の動作はサブ液晶表示パネルの表示部の動作と同様であるため省略する。
【００３９】
ソースドライバ１１ｂは、アナログ映像信号Ｓ２ｂに基づきアナログ映像信号配線１９ｂに印加する電圧を制御しアナログスイッチ２０ｂを制御する。さらに、ソースバスライン１５ｂに印加する電圧も制御する。
【００４０】
ゲートドライバ１２ｂは、ゲートバスライン１６ｂに印加する電圧を制御し、画素用トランジスタ２１ｂのゲート２１ｃに印加する電圧を制御する。ゲートバスライン１６ｂに電圧が印加されると画素用トランジスタ２１ｂのソース２１ｄとドレイン２１ｅとの間が導通状態となる。また、コモン信号配線２３ｂにもコモン信号ＣＯＭ２に基づいた電圧が印加される。
【００４１】
したがって、アナログスイッチ２０ｂがＯＮ状態であり、ソースバスライン１５ｂとゲートバスライン１６ｂとに電圧が印加される時、画素用トランジスタ２１ｂのソース２１ｄとドレイン２１ｅとの間は導通状態となり、画素用コンデンサ２２ｂにソースバスライン１５ｂに印加される電圧と、コモン信号配線２３ｂに印加される電圧との差が充電される。サブ液晶表示パネル２ｂはこの画素用コンデンサ２２ｂに充電された電圧を液晶に印加し、液晶の配向を制御する。
【００４２】
このような方法で液晶の配向を制御するためには、通常アナログ映像信号Ｓ２ｂのアンプのダイナミックレンジに対して十分高い電圧と十分低い電圧とをソースドライバ１１ｂとゲートドライバ１２ｂとに供給する必要がある。
【００４３】
例えばアナログ映像信号Ｓ２ｂのアンプのダイナミックレンジが０〜５Ｖであった場合、ソースドライバ１１ｂ及びゲートドライバ１２ｂには高い電圧として１０Ｖ、低い電圧として−５Ｖ程度が必要となる。本発明の実施形態に係る液晶表示装置３では、この電圧をサブ液晶表示パネル２ｂに設けた電源回路部６が供給する。本発明の実施形態における電源回路部６は、基準電圧Ｖ１の二倍に略等しい電圧と、基準電圧Ｖ１を反転させた電圧に略等しい電圧とを供給することができるため、基準電圧Ｖ１を５Ｖとすれば１０Ｖと−５Ｖとを供給することができる。そのため、基準電圧Ｖ１は５Ｖとする。
【００４４】
次に図７及び図９を用いて、電源回路部の一例の動作について説明する。図９は図７に示す電源回路部の一例に適用するクロック信号と出力電圧のタイミングチャートである。
【００４５】
まず図９を用いてクロック信号について説明する。クロック信号ＣＫ１〜ＣＫ３にはハイレベルとローレベルの二つのレベルがある。また、第一のクロック信号ＣＫ１がハイレベルの時は第二のクロック信号ＣＫ２はローレベルであり、第一のクロック信号ＣＫ１がローレベルの時は第二のクロック信号ＣＫ２はハイレベルである。また、第二のクロック信号ＣＫ２がローレベルからハイレベルになったあとに、遅れて第三のクロック信号ＣＫ３がローレベルからハイレベルになり、第三のクロック信号ＣＫ３がハイレベルからローレベルになったあとに、遅れて第二のクロック信号ＣＫ２がハイレベルからローレベルになる。
【００４６】
次に、電源回路部６の第一の回路２４ａの動作を説明する。Ｔ１ではクロック信号ＣＫ１がハイレベルであり、レベルシフタＬＳ１によって増幅されトランジスタＴｒ１及びトランジスタＴｒ２のゲートに印加されている。このとき、トランジスタＴｒ１及びトランジスタＴｒ２の各々のソースとドレインとの間は導通状態となっている。そのためコンデンサＣ１の電極Ｃ１ａの電位は０Ｖ、電極Ｃ１ｂの電位は５Ｖとなり、コンデンサＣ１には５Ｖが保持される。
【００４７】
Ｔ２ではクロック信号ＣＫ１がローレベルになることでトランジスタＴｒ１及びトランジスタＴｒ２のソースとドレインとの間が遮断状態となる。同時にクロック信号ＣＫ２がハイレベルとなり、レベルシフタＬＳ２によって増幅されトランジスタＴｒ３のゲートに印加される。すると、トランジスタＴｒ３のソースとドレインとの間が導通状態となり、Ｔ２からＴ３の間にコンデンサＣ１の電極Ｃ１ａの電位は５Ｖになり、コンデンサＣ１に５Ｖが保持されているため電極Ｃ１ｂの電位は１０Ｖになる。
【００４８】
Ｔ３ではクロック信号ＣＫ３がハイレベルとなり、レベルシフタＬＳ３によって増幅されたトランジスタＴｒ４のゲートに印加される。すると、ソースとドレインの間が導通状態となり、Ｔ３からＴ４の間にコンデンサＣ２の電極Ｃ２ａの電位が１０Ｖとなり、電極Ｃ２ｂの電位は０Ｖとなる。よって出力端子Ｐ１から基準電圧Ｖ１の二倍の電圧である１０Ｖが出力される。
【００４９】
Ｔ４でクロック信号ＣＫ３がローレベルとなり、トランジスタＴｒ４のソースとドレインとの間が遮断状態になる。このとき、漏れ電流によりコンデンサＣ２の電圧がわずかにドロップする。ただし、図９はドロップ量を誇張して表している。
【００５０】
Ｔ５でクロック信号ＣＫ２がローレベルとなり、トランジスタＴｒ３のソースとドレインとの間が遮断状態となる。同時にクロック信号ＣＫ１がハイレベルとなりＴ１と同じ状態になる。そして、上記の動作を繰り返すことで１０Ｖと略等しい電圧を供給し続けることとなる。
【００５１】
第二の回路２４ｂの動作を説明する。第一の回路２４ａと同様に、Ｔ１ではクロック信号ＣＫ１がハイレベルであり、レベルシフタＬＳ１によって増幅されトランジスタＴｒ５及びトランジスタＴｒ６のゲートに印加されている。このとき、トランジスタＴｒ５及びトランジスタＴｒ６のソースとドレインとの間は導通状態となっている。そのため、コンデンサＣ３の電極Ｃ３ａの電位は５Ｖ、電極Ｃ３ｂの電位は０Ｖとなり、コンデンサＣ３には５Ｖが保持される。
【００５２】
Ｔ２でクロック信号ＣＫ１がローレベルになることでトランジスタＴｒ５及びトランジスタＴｒ６の各々のソースとドレインとの間が遮断状態となる。同時にクロック信号ＣＫ２がハイレベルとなり、レベルシフタＬＳ２によって増幅されトランジスタＴｒ７のゲートに印加される。すると、トランジスタＴｒ７のソースとドレインとの間が導通状態となり、Ｔ２からＴ３の間にコンデンサＣ３の電極Ｃ３ａの電位は０Ｖに下がり、コンデンサＣ３に５Ｖが保持されているため電極Ｃ１ｂの電位は−５Ｖに下がる。
【００５３】
Ｔ３でクロック信号ＣＫ３がハイレベルとなり、レベルシフタＬＳ３によって増幅されトランジスタＴｒ８のゲートに印加される。すると、トランジスタＴｒ８のソースとドレインとの間が導通状態となり、Ｔ３からＴ４の間にコンデンサＣ４の電極Ｃ４ａの電位は−５Ｖとなり、電極Ｃ４ｂの電位は０Ｖになる。よって基準電圧Ｖ１を反転した電圧である−５Ｖが出力端子Ｐ２から出力される。
【００５４】
Ｔ４でクロック信号ＣＫ３がローレベルとなり、トランジスタＴｒ８のソースとドレインとの間が遮断状態となる。このとき、漏れ電流によりコンデンサＣ４の電圧がわずかにドロップする。ただし、図９はドロップ量を誇張して表している。
【００５５】
Ｔ５でクロック信号ＣＫ２がローレベルとなり、トランジスタＴｒ７のソースとドレインとの間が遮断状態となる。同時にクロック信号ＣＫ１がハイレベルとなり、Ｔ１と同じ状態になる。そして、上記の動作を繰り返すことで−５Ｖと略等しい電圧を供給し続けることとなる。
【００５６】
また、上記のクロック信号ＣＫ１〜ＣＫ３の電圧は０〜５Ｖの値をとる。レベルシフタＬＳ１〜ＬＳ３はこの振幅を０〜１０Ｖに増幅するが、この増幅に必要な１０Ｖの電圧は、電源回路部６が供給する。ただし、電源回路部６の始動直後は１０Ｖを供給することができないので、始動直後はレベルシフタＬＳ１〜ＬＳ３に５Ｖが供給される。そして過渡状態を経て最終的に１０Ｖが供給されるようになり安定動作する。
【００５７】
このような構成の液晶表示装置３では、電源回路部６をサブ液晶表示パネル２ｂに設け、この電源回路部６を用いて複数の液晶表示パネル２ａ、２ｂに電圧を供給することとなる。そのため、電源回路部６を複数設ける必要がなくなる。また、高い電圧に耐えうる構造が必要となる電源回路部６を、同じく高い電圧に耐えうる構造が必要となる表示部１０ｂ及び駆動回路部４ｂとともに液晶表示パネル２ｂに設けることとなる。そのため、特殊な製造工程を必要とし、かつ大型となる電源回路ＩＣを別途製造する必要がなくなる。したがって、液晶表示装置３の小型化及び製造工程の簡略化を図ることができる。
【００５８】
また、電源回路部６は一つの基準電圧Ｖ１のみを用いてソースドライバ１１ａ、１１ｂ及びゲートドライバ１２ａ、１２ｂを駆動するために必要な高い電圧及び低い電圧を供給することができる。そのため、高い電圧または低い電圧を供給する電圧源を別途設ける必要がない。したがって液晶表示装置３の小型化及び製造工程の簡略化を図ることができる。
【００５９】
また、電圧を供給する液晶ドライバＩＣ７は基準電圧Ｖ１より大きい電圧の信号を発しないため、液晶ドライバＩＣ７は基準電圧Ｖ１まで耐え得る構造にすれば十分である。したがって、液晶ドライバＩＣ７の小型化を図ることができる。
【００６０】
また、クロック信号ＣＫ１〜ＣＫ３を利用することにより、トランジスタＴｒ１〜Ｔｒ８のゲートを制御しコンデンサＣ１〜Ｃ４のチャージ動作を繰り返し行うことができる。したがって、出力端子Ｐ１、Ｐ２に所望の電圧と略等しい電圧を出力させ続けることができる。
【００６１】
なお、本発明の実施形態において電源回路部６をメイン液晶表示パネル２ａに設けてもよいし、両方の液晶表示パネル２ａ、２ｂに設けてもよい。ただし、複数の液晶表示パネル２ａ、２ｂを備える液晶表示装置３の大きさは、メイン液晶表示パネル２ａの大きさに合わせることが多いため、メイン液晶表示パネル２ａに電源回路部６を設ける場合、液晶表示装置３全体が大きくなってしまう。しかしながら、サブ液晶表示パネル２ｂ上のみに電源回路部６を設ける場合では、サブ液晶表示パネル２ｂが多少大きくなったとしても、メイン液晶表示パネル２ａの大きさより小さければ、液晶表示装置３の大きさに影響しない。したがって、電源回路部６はサブ液晶表示パネル２ｂ上のみに設ける方が好適である。
【００６２】
また、液晶表示装置３に複数の液晶表示パネルを備える場合、液晶表示パネルと一体となる電源回路部６を、液晶表示パネルごとに設けることとしてもよいし、共通の電源回路部を設けることにより、電源回路部６の数を液晶表示パネルの数よりも少ないものとしてもよい。その場合、液晶表示装置３の小型化という観点から、電源回路部６はできる限り共通のものとして、少なくする方が好適である。
【００６３】
また、基準電圧Ｖ１は例として５Ｖとしたが、他の電圧値にしてもよい。さらに、電源回路部６は、必要に応じて適宜回路構成を変更してもよい。例えば、図７で示した電源回路部６の例では、基準電圧Ｖ１の２倍の電圧に略等しい電圧と、反転した電圧に略等しい電圧とを出力するものであったが、この電源回路部６と同様の回路部をもう一段設けて、一段目の回路から出力される基準電圧Ｖ１の２倍に略等しい電圧が、二段目の電源回路部のＶ１の代わりに供給されることとすれば、基準電圧Ｖ１の４倍の電圧に略等しい電圧と、２倍の反転した電圧に略等しい電圧とを出力することができる。
【００６４】
また、この二段目の回路においてコンデンサＣ１に相当するコンデンサがチャージされ、電極Ｃ１ａに相当する電極の電位が０、電極Ｃ１ｂに相当する電極の電位がＶ１であり、一段目の回路においてコンデンサＣ１に相当するコンデンサがチャージされ、電極Ｃ１ａに相当する電極の電位が０、電極Ｃ１ｂに相当する電極の電位が２×Ｖ１である時に、二段目の回路の電極Ｃ１ａに相当する電極に、一段目の回路の電極Ｃ１ｂに相当する電極の電位２×Ｖ１を供給し、二段目の回路の電極Ｃ１ｂに相当する電極の電位を３×Ｖ１として、基準電圧Ｖ１の３倍の電圧と略等しい電圧を出力することとしてもよい。さらに、上記のようにチャージポンプ回路を複数段組み合わせることによって、基準電圧Ｖ１の任意の倍数と略等しい電圧を供給することとしてもよい。
【００６５】
また、電源回路部６は各々の液晶表示パネル２ａ、２ｂへの電圧の供給の可否を制御することができるようにしてもよい。そのようにすることで、使用していない液晶表示パネルへの電圧の供給を容易に遮断することができ、消費電力を抑えることができる。
【００６６】
また、液晶表示パネル２ａ、２ｂに設けたトランジスタは、すべてがｎチャネル型、またはすべてがｐチャネル型であってもよいし、少なくとも一つがｎチャネル型であり、かつ少なくとも一つがｐチャネル型であってもよい。
【００６７】
また、液晶表示パネル２ａ、２ｂに設けたトランジスタは、ポリシリコンを用いたものであってもよいし、連続粒界シリコンを用いたものであってもよい。
【００６８】
以上、本発明の実施形態に係る液晶表示装置について説明したが、本発明の範囲はこれに限定されるものではなく、発明の主旨を逸脱しない範囲で種々の変更を加えて実行することができる。
【産業上の利用可能性】
【００６９】
本発明は情報の表示機能を有した各種液晶表示装置において利用可能である。
【図面の簡単な説明】
【００７０】
【図１】は、一般的な折りたたみ型の携帯用電子機器の斜視図である。
【図２】は、一般的な折りたたみ型の携帯用電子機器の斜視図である。
【図３】は、本発明の実施形態に係る液晶表示装置の展開平面図である。
【図４】は、本発明の実施形態に係る液晶表示装置のサブ液晶表示パネル側の正面図である。
【図５】は、本発明の実施形態に係る液晶表示装置の側面図である。
【図６】は、本発明の実施形態に係る液晶表示装置の液晶表示パネルの表示部の回路図である。
【図７】は、本発明の実施形態に係る液晶表示装置の電源回路部の一例を示す回路図である。
【図８】は、本発明の実施形態に係る液晶表示装置のブロック図である。
【図９】は、本発明の実施形態に係る液晶表示装置の電源回路部の一例に適用するクロック信号と出力電圧のタイミングチャートである。
【符号の説明】
【００７１】
１      携帯用電子機器
２ａ    メイン液晶表示パネル
２ｂ    サブ液晶表示パネル
３      液晶表示装置
４ａ    駆動回路部
４ｂ    駆動回路部
５ａ    ガラス基板
５ｂ    ガラス基板
５ｃ    ガラス基板
５ｄ    ガラス基板
６      電源回路部
７      液晶ドライバＩＣ
８      フレキシブル基板
９      コネクタ
１０ａ  表示部
１０ｂ  表示部
１１ａ  ソースドライバ
１１ｂ  ソースドライバ
１２ａ  ゲートドライバ
１２ｂ  ゲートドライバ
１３    両面発光パネル
１４    電源用配線
１５ａ  ソースバスライン
１５ｂ  ソースバスライン
１６ａ  ゲートバスライン
１６ｂ  ゲートバスライン
１７ａ  レベルシフタ
１８ｂ  レベルシフタ
Ｓ１    映像信号
Ｓ２ａ  アナログ映像信号
Ｓ２ｂ  アナログ映像信号
Ｓ３ａ  ソースドライバコントロール信号
Ｓ３ｂ  ソースドライバコントロール信号
Ｓ４ａ  ゲートドライバコントロール信号
Ｓ４ｂ  ゲートドライバコントロール信号
ＣＯＭ１  コモン信号
ＣＯＭ２  コモン信号
ＧＮＤ  接地用配線
１９ｂ  アナログ映像信号配線
２０ｂ  アナログスイッチ
２１ｂ  画素用トランジスタ
２１ｃ  ゲート
２１ｄ  ソース
２１ｅ  ドレイン
２２ｂ  画素用コンデンサ
２３ｂ  コモン信号配線
２４ａ  第一の回路
２４ｂ  第二の回路
Ｖ１    基準電圧
ＣＫ１〜ＣＫ３  クロック信号
Ｔｒ１〜Ｔｒ８  トランジスタ
Ｃ１〜Ｃ４  コンデンサ
Ｃ１ａ〜Ｃ４ａ  電極
Ｃ１ｂ、Ｃ４ｂ  電極
ＬＳ１〜ＬＳ３  レベルシフタ
Ｐ１、Ｐ２  出力端子
【図１】
2008116701.tif 000003
【図２】
2008116701.tif 000004
【図３】
2008116701.tif 000005
【図４】
2008116701.tif 000006
【図５】
2008116701.tif 000007
【図６】
2008116701.tif 000008
【図７】
2008116701.tif 000009
【図８】
2008116701.tif 000010
【図９】
2008116701.tif 000011